(57)【特許請求の範囲】
【請求項１】
予めメモリに記憶された複数の要素画像を含む基準画像に基づいて睡眠状態を表示する睡眠状態表示装置であって、
生体情報及び体動情報を含む睡眠情報を入力する睡眠情報入力手段と、
前記入力された睡眠情報に基づき、複数の睡眠段階を睡眠時間と関連付けて推定する睡眠段階推定手段と、
前記推定された各睡眠段階の睡眠時間の長さ及び全体の睡眠時間の長さを含む複数の睡眠変数を算出する睡眠変数算出手段と、
前記算出された各睡眠変数と、前記各睡眠段階と、に関連付けて前記各要素画像を変化させ、前記基準画像から表示画像を生成する表示画像生成手段と、
前記生成された表示画像を前記睡眠状態として表示する睡眠状態表示手段と、
を備え、
前記基準画像は、前記各睡眠段階にそれぞれ対応する、少なくとも高さ及び幅で定義される複数の第１要素画像を高さ方向に連結して構成された容器形状を含み、
前記表示画像生成手段は、前記各第１要素画像の高さを前記全体の睡眠時間の長さ及び当該全体の睡眠時間の長さの基準値の比に応じて変化させ、前記各第１要素画像の幅を各第１要素画像に対応する睡眠段階の睡眠時間の長さ及び当該睡眠段階の睡眠時間の長さの基準値の比に応じて変化させ、最終的に前記基準画像から前記表示画像を生成する
ことを特徴とする睡眠状態表示装置。
【請求項２】
前記基準画像は、少なくとも長さで定義される棒状の第２要素画像を含み、
前記第２要素画像の一部は、前記容器形状へ挿入するように構成され、
前記睡眠変数算出手段は、入眠潜時を更に含む前記睡眠変数を算出し、
前記表示画像生成手段は、前記第２要素画像の長さを前記入眠潜時及び前記入眠潜時の基準値の比に応じて変化させ、最終的に前記基準画像から前記表示画像を生成する
ことを特徴とする請求項１に記載の睡眠状態表示装置。
【請求項３】
前記第２要素画像は、複数の色及び／又は形状を選択可能な第３要素画像が付加されて構成された植物形状を含み、
前記睡眠変数算出手段は、睡眠の質の値を更に含む前記睡眠変数を算出し、
前記表示画像生成手段は、前記算出された睡眠の質の値に応じて前記第３要素画像の色及び／又は形状を選択し、最終的に前記基準画像から前記表示画像を生成する
ことを特徴とする請求項２に記載の睡眠状態表示装置。
【請求項４】
前記睡眠変数算出手段は、前記睡眠情報に基づき、リラックス度、深睡眠率、覚醒回数、及び睡眠効率の値のうちの少なくとも１つを更に算出し、当該算出された値のうちの少なくとも１つに基づき、前記睡眠の質の値を算出することを特徴とする請求項３に記載の睡眠状態表示装置。
【請求項５】
前記基準画像は、前記各睡眠段階にそれぞれ対応づけられたキャラクタ形状を表す複数の第４要素画像、及び前記各睡眠段階の睡眠時間情報を表す第５要素画像を含み、
前記表示画像生成手段は、前記各睡眠段階に対応する前記第４要素画像を選択し、当該睡眠段階について算出された睡眠時間情報を表す前記第５要素画像を生成し、最終的に前記基準画像から前記表示画像を生成する
ことを特徴とする請求項１に記載の睡眠状態表示装置。
【請求項６】
前記表示画像が示す時刻情報を選択する表示時刻情報選択手段を更に備え、
前記基準画像は、前記各睡眠段階にそれぞれ対応づけられたキャラクタ形状を表す複数の第４要素画像、前記時刻情報を表す第６要素画像、及び前記各睡眠段階の時系列グラフを表す第７要素画像を含み、
前記表示画像生成手段は、前記選択された時刻情報に対応する睡眠段階に応じて前記第４要素画像を選択し、前記選択された時刻情報に対応する前記第６要素画像を生成し、前記第７要素画像を生成し、最終的に前記基準画像から前記表示画像を生成する
ことを特徴とする請求項１に記載の睡眠状態表示装置。
【請求項７】
前記入力された睡眠情報に基づき、複数の体動状態を睡眠時間と関連付けて推定する体動状態推定手段と、
前記表示画像が示す時刻情報を選択する表示時刻情報選択手段と、
を更に備え、
前記基準画像は、前記各体動状態にそれぞれ対応づけられたキャラクタ形状を表す複数の第８要素画像、前記時刻情報を表す第６要素画像、及び前記各体動状態の時系列グラフを表す第９要素画像を含み、
前記表示画像生成手段は、前記選択された時刻情報に対応する体動状態に応じて前記第８要素画像を選択し、前記選択された時刻情報に対応する前記第６要素画像を生成し、前記第９要素画像を生成し、最終的に前記基準画像から前記表示画像を生成する
ことを特徴とする請求項１に記載の睡眠状態表示装置。
【請求項８】
予めメモリに記憶された複数の要素画像を含む基準画像に基づいて睡眠状態を表示する睡眠状態表示装置における睡眠状態表示方法であって、
生体情報及び体動情報を含む睡眠情報を入力する睡眠情報入力工程と、
前記入力された睡眠情報に基づき、複数の睡眠段階を睡眠時間と関連付けて推定する睡眠段階推定工程と、
前記推定された各睡眠段階の睡眠時間の長さ及び全体の睡眠時間の長さを含む複数の睡眠変数を算出する睡眠変数算出工程と、
前記算出された各睡眠変数と、前記各睡眠段階と、に関連付けて前記各要素画像を変化させ、前記基準画像から表示画像を生成する表示画像生成工程と、
前記生成された表示画像を前記睡眠状態として表示する睡眠状態表示工程と、
を備え、
前記基準画像は、前記各睡眠段階にそれぞれ対応する、少なくとも高さ及び幅で定義される複数の第１要素画像を高さ方向に連結して構成された容器形状を含み、
前記表示画像生成工程は、前記各第１要素画像の高さを前記全体の睡眠時間の長さ及び当該全体の睡眠時間の長さの基準値の比に応じて変化させ、前記各第１要素画像の幅を各第１要素画像に対応する睡眠段階の睡眠時間の長さ及び当該睡眠段階の睡眠時間の長さの基準値の比に応じて変化させ、最終的に前記基準画像から前記表示画像を生成する
ことを特徴とする睡眠状態表示方法。
【請求項９】
予めメモリに記憶された複数の要素画像を含む基準画像に基づいて睡眠状態を表示する睡眠状態表示装置に用いられる睡眠状態表示プログラムであって、
前記睡眠状態表示装置を、
生体情報及び体動情報を含む睡眠情報を入力する睡眠情報入力手段、
前記入力された睡眠情報に基づき、複数の睡眠段階を睡眠時間と関連付けて推定する睡眠段階推定手段、
前記推定された各睡眠段階の睡眠時間の長さ及び全体の睡眠時間の長さを含む複数の睡眠変数を算出する睡眠変数算出手段、
前記算出された各睡眠変数と、前記各睡眠段階と、に関連付けて前記各要素画像を変化させ、前記基準画像から表示画像を生成する表示画像生成手段、
前記生成された表示画像を前記睡眠状態として表示する睡眠状態表示手段、
として機能させ、
前記基準画像は、前記各睡眠段階にそれぞれ対応する、少なくとも高さ及び幅で定義される複数の第１要素画像を高さ方向に連結して構成された容器形状を含み、
前記表示画像生成手段は、前記各第１要素画像の高さを前記全体の睡眠時間の長さ及び当該全体の睡眠時間の長さの基準値の比に応じて変化させ、前記各第１要素画像の幅を各第１要素画像に対応する睡眠段階の睡眠時間の長さ及び当該睡眠段階の睡眠時間の長さの基準値の比に応じて変化させ、最終的に前記基準画像から前記表示画像を生成する
ためのプログラム。
【発明の詳細な説明】
【技術分野】
【０００１】
この発明は、ユーザの睡眠状態を分かり易く表示する睡眠状態表示装置、方法及びプログラムに関する。
【背景技術】
【０００２】
睡眠状態を表す指標として、一般的に睡眠段階が知られている。睡眠段階は、国際的基準に準拠する段階として、覚醒、レム睡眠、及び４つのステージ（ステージＩ，ＩＩ，ＩＩＩ，ＩＶ）に分類されるノンレム睡眠の合計６種類の段階が存在する。このような睡眠段階は、ユーザの医療データを睡眠ポリグラフ検査等の手法を用いて測定することにより、推定される。また、近年では、心拍センサ及び加速度センサ等によって簡易に計測可能なデータに基づき、睡眠段階を推定する手法が提案されている。
【０００３】
一方、睡眠状態は、生活習慣の乱れや飲酒等の様々な要因によって影響を受けることが知られている。また、睡眠の欠如による睡眠状態の悪化は、免疫機能を低下させ、事故のリスクを高める可能性があることが指摘されている（非特許文献１，及び非特許文献２参照）。
【０００４】
そのため、ユーザ自身が日常の睡眠状態を把握することは重要である。特に、睡眠状態の異常な日を気づきやすくさせ、ユーザに注意を促すことが重要である。
【０００５】
睡眠状態を評価するためには、推定された睡眠段階や、睡眠時間等から算出される複数の睡眠変数が用いられる。睡眠変数の代表的な例としては、各睡眠段階が全体の睡眠時間に占める割合、入眠潜時（就床から入眠までの時間）、睡眠効率（就床時間に対する全体の睡眠時間の割合）、及び中途覚醒時間・回数等が挙げられる。上記のような睡眠変数を睡眠状態表示アプリ上で提示することで、睡眠状態を表示する技術が提案されている。
【０００６】
例えば、非特許文献３では、睡眠変数をチャートグラフや数値でユーザに提示している。また例えば、非特許文献４では、睡眠変数を棒グラフや線グラフでユーザに提示している。
【先行技術文献】
【非特許文献】
【０００７】
【非特許文献１】M. Irwin, J. McClintick, C. Costlow, M. Fortner, J. White, and J. C. Gillin. “Partial night sleep deprivation reduces natural killer and cellular immune response in humans”, The FASEB journal, Vol.10, April, pp.643-653 (1996)
【非特許文献２】N. Goel, H. Rao, J. S. Durmer, and D. F. Dinges, “Neurocognitive Consequences of Sleep Deprivation”, Seminar in Neurology, Vol.29, No.4, pp.320-338 (2009)
【非特許文献３】“快適な睡眠をサポートしてくれるアプリ「Sleep Meister」が登場！”, netgeek-biz <URL : http://netgeek.biz/archives/1097>
【非特許文献４】睡眠計スリープスキャンSL-504カタログ(2012年8月) <URL : http://www.tanita.co.jp/cms/common/pdf/catalog/sl504.pdf>
【発明の概要】
【発明が解決しようとする課題】
【０００８】
しかしながら、従来技術は、通常は特に問題ないが、本発明者の検討によれば、提示される睡眠変数が複数存在するため、ユーザが睡眠状態を直感的に把握しづらい、という点で改良の余地がある。
【０００９】
例えば、異なる日の睡眠状態を比較しようとした場合、従来技術では、睡眠変数毎に比較して、睡眠状態の良否を判断しなければならない。したがって、評価するデータの数が膨大になれば、比較すべき項目（日付の組合わせを含む項目）も睡眠変数毎に膨大になり、よりユーザの負担が大きくなる。
【００１０】
即ち、従来技術は、ユーザの負担を軽減しつつ、直感的に把握可能な睡眠状態を表示することができない、という点で改良の余地がある。
【００１１】
この発明は上記事情に着目してなされたもので、その目的とするところは、ユーザの負担を軽減しつつ、直感的に把握可能な睡眠状態を表示できるようにした睡眠状態表示装置、方法及びプログラムを提供することにある。
【課題を解決するための手段】
【００１２】
上記目的を達成するためにこの発明の第１の観点は、以下のような構成要素を備える。すなわち、睡眠状態表示装置は、予めメモリに記憶された複数の要素画像を含む基準画像に基づいて睡眠状態を表示する。生体情報及び体動情報を含む睡眠情報を入力する。上記入力された睡眠情報に基づき、複数の睡眠段階を睡眠時間と関連付けて推定する。上記推定された各睡眠段階の睡眠時間の長さ及び全体の睡眠時間の長さを含む複数の睡眠変数を算出する。上記算出された各睡眠変数と、上記各睡眠段階と、に関連付けて上記各要素画像を変化させ、上記基準画像から表示画像を生成する。上記生成された表示画像を上記睡眠状態として表示する。上記基準画像は、上記各睡眠段階にそれぞれ対応する、少なくとも高さ及び幅で定義される複数の第１要素画像を高さ方向に連結して構成された容器形状を含む。上記各第１要素画像の高さを上記全体の睡眠時間の長さ及び当該全体の睡眠時間の長さの基準値の比に応じて変化させ、上記各第１要素画像の幅を各第１要素画像に対応する睡眠段階の睡眠時間の長さ及び当該睡眠段階の睡眠時間の長さの基準値の比に応じて変化させ、最終的に上記基準画像から上記表示画像を生成するようにしたものである。
【００１３】
また、この発明の第１の観点は、以下のような態様を備えることを特徴とする。
【００１５】
第２の態様では、上記基準画像は、少なくとも長さで定義される棒状の第２要素画像を含む。上記第２要素画像の一部は、上記容器形状へ挿入するように構成される。入眠潜時を更に含む上記睡眠変数を算出する。上記第２要素画像の長さを上記入眠潜時及び上記入眠潜時の基準値の比に応じて変化させ、最終的に上記基準画像から上記表示画像を生成するようにしたものである。
【００１６】
第３の態様では、上記第２要素画像は、複数の色及び／又は形状を選択可能な第３要素画像が付加されて構成された植物形状を含む。睡眠の質の値を更に含む上記睡眠変数を算出する。上記算出された睡眠の質の値に応じて上記第３要素画像の色及び／又は形状を選択し、最終的に上記基準画像から上記表示画像を生成するようにしたものである。
【００１７】
第４の態様は、上記睡眠情報に基づき、リラックス度、深睡眠率、覚醒回数、及び睡眠効率の値のうちの少なくとも１つを更に算出し、当該算出された値のうちの少なくとも１つに基づき、上記睡眠の質の値を算出するようにしたものである。
【００１８】
第５の態様では、上記基準画像は、上記各睡眠段階にそれぞれ対応づけられたキャラクタ形状を表す複数の第４要素画像、及び上記各睡眠段階の睡眠時間情報を表す第５要素画像を含む。上記各睡眠段階に対応する上記第４要素画像を選択し、当該睡眠段階について算出された睡眠時間情報を表す上記第５要素画像を生成し、最終的に上記基準画像から上記表示画像を生成するようにしたものである。
【００１９】
第６の態様は、上記表示画像が示す時刻情報を更に選択する。上記基準画像は、上記各睡眠段階にそれぞれ対応づけられたキャラクタ形状を表す複数の第４要素画像、上記時刻情報を表す第６要素画像、及び上記各睡眠段階の時系列グラフを表す第７要素画像を含む。上記選択された時刻情報に対応する睡眠段階に応じて上記第４要素画像を選択し、上記選択された時刻情報に対応する上記第６要素画像を生成し、上記第７要素画像を生成し、最終的に上記基準画像から上記表示画像を生成するようにしたものである。
【００２０】
第７の態様は、上記入力された睡眠情報に基づき、複数の体動状態を睡眠時間と関連付けて更に推定する。上記表示画像が示す時刻情報を更に選択する。上記基準画像は、上記各体動状態にそれぞれ対応づけられたキャラクタ形状を表す複数の第８要素画像、上記時刻情報を表す第６要素画像、及び上記各体動状態の時系列グラフを表す第９要素画像を含む。上記選択された時刻情報に対応する体動状態に応じて上記第８要素画像を選択し、上記選択された時刻情報に対応する上記第６要素画像を生成し、上記第９要素画像を生成し、最終的に上記基準画像から上記表示画像を生成するようにしたものである。
【発明の効果】
【００２１】
この発明の第１の観点によれば、睡眠状態表示装置は、推定された各睡眠段階の睡眠時間の長さ及び全体の睡眠時間の長さを含む複数の睡眠変数を算出する。算出された各睡眠変数に基づき、予め記憶された基準画像から表示画像を生成するようにしている。このため、入力される複数の睡眠変数と、基準値との比率を基準画像に反映させることにより、表示画像を生成することができる。したがって、生成された表示画像は、基準画像からの変化として複数の睡眠変数の基準値との相対的な差をユーザに表示することができるため、ユーザは睡眠状態を直感的に把握することができる。また、基準画像は、ユーザが容易把握可能な日常に存在する物体を表すことができる。したがって、表示画像として表す物体を１つのアイコンに統合することにより、ユーザが睡眠状態を把握する際の負担を軽減することができる。また、基準画像は、上記各睡眠段階にそれぞれ対応する、少なくとも高さ及び幅で定義される複数の第１要素画像を高さ方向に連結して構成された容器形状を含むようにしている。このため、ユーザに表示画像として表示されるアイコンは、例えば、複数の形状を連結してなる容器形状（例、ボトル、コップ）として表すことができる。したがって、ユーザは、睡眠状態の変化をボトルやコップ等の形状の変化として直感的に把握することができる。
【００２３】
第２の態様によれば、基準画像は、少なくとも長さで定義される棒状の第２要素画像を含む基準画像を含み、上記第２要素画像の一部は、上記容器形状へ挿入するように構成される。また、入眠潜時を更に含む上記睡眠変数を算出するようにしている。このため、ユーザが睡眠状態を把握する際の睡眠変数として、各睡眠段階の睡眠時間等に加えて、入眠潜時を更に用いることができる。また、ユーザに表示画像として表示されるアイコンは、ボトルやコップのような容器形状に挿されたストローや植物の茎といった棒状の物体として表すことができる。したがって、ユーザは、睡眠状態の変化を容器形状及び棒状物体の変化として直感的に把握することができる。
【００２４】
第３の態様によれば、基準画像は、上記第３要素画像が付加されて構成された植物形状を含む。また、睡眠の質の値を更に含む上記睡眠変数を算出するようにしている。このため、ユーザが睡眠状態を把握する際の睡眠変数として、各睡眠段階の睡眠時間、及び入眠潜時に加えて、睡眠の質の値を更に用いることができる。また、ユーザに表示画像として表示されるアイコンは、容器形状に挿された花を有する植物として表すことができる。したがって、ユーザは、睡眠状態の変化を容器形状及び植物形状の変化として、直感的に把握することができる。
【００２５】
第４の態様によれば、睡眠情報に基づき、リラックス度、深睡眠率、覚醒回数、及び睡眠効率の値のうちの少なくとも１つを更に算出し、当該算出された値のうちの少なくとも１つに基づき、上記睡眠の質の値を算出するようにしている。このため、第３要素画像として選択される花の形状及び／又は色を、睡眠の質の値に応じて段階的に選択することができる。
【００２６】
第５の態様によれば、基準画像は、各睡眠段階にそれぞれ対応付けられたキャラクタ形状を表す複数の第４要素画像、及び各睡眠段階の睡眠時間を表す第５要素画像を含む。このため、ユーザが睡眠状態を把握する際に、睡眠変数に代えて各睡眠段階を表すキャラクタ形状を用いることができる。また、キャラクタ形状に更に睡眠時間の情報を用いることにより、各睡眠段階に関する定量的な情報を直感的に把握することができる。
【００２７】
第６の態様によれば、表示画像が示す時刻情報を更に選択する。また、基準画像は、各睡眠段階にそれぞれ対応付けられたキャラクタ形状を表す複数の第４要素画像、時刻情報を表す第６要素画像、及び各睡眠段階の時系列グラフを表す第７要素画像を含む。このため、ユーザが睡眠状態を把握する際に、睡眠変数に代えて各睡眠段階を表すキャラクタ形状を用いることができる。また、表示画像が表す時刻を選択し、当該選択された時刻情報と、当該時刻情報に対応するキャラクタ形状を表示することにより、睡眠状態を直感的に把握することができる。更に、睡眠段階の時系列グラフを更に同時に表示することにより、全体の睡眠時間における睡眠段階の推移を把握することができる。
【００２８】
第７の態様によれば、入力された睡眠情報に基づき、複数の体動状態を睡眠時間と関連付けて更に推定し、表示画像が示す時刻情報を更に選択する。また、基準画像は、各体動状態にそれぞれ対応付けられたキャラクタ形状を表す複数の第８要素画像、時刻情報を表す第６要素画像、及び各体動状態の時系列グラフを表す第９要素画像を含む。このため、ユーザが体動状態を把握する際に、睡眠変数に代えて各体動状態を表すキャラクタ形状を用いることができる。また、表示画像が表す時刻を選択し、当該選択された時刻情報と、当該時刻情報に対応するキャラクタ形状を表示することにより、睡眠状態を直感的に把握することができる。更に、体動状態の時系列グラフを更に同時に表示することにより、全体の睡眠時間における体動状態の推移を把握することができる。
【００２９】
すなわち、この発明によれば、ユーザの負担を軽減しつつ、直感的に把握可能な睡眠状態を表示できるようにした睡眠状態表示装置、方法及びプログラムを提供することができる。
【図面の簡単な説明】
【００３０】
【図１】この発明の第１の実施形態に係る睡眠状態表示装置の機能構成の一例を示すブロック図である。
【図２】同実施形態における基準画像の一例を示す模式図である。
【図３】同実施形態における表示画像の一例を示す模式図である。
【図４】同実施形態における睡眠状態表示装置の動作の一例を示すフローチャートである。
【図５】この発明の第２の実施形態に係る表示画像の一例を示す模式図である。
【図６】この発明の第３の実施形態に係る第３要素画像の一例を示す模式図である。
【図７】同実施形態におけるリラックス度を算出する特徴量の一例を示す模式図である。
【図８】同実施形態におけるリラックス度の算出表の一例を示す模式図である。
【図９】同実施形態における表示画像の一例を示す模式図である。
【図１０】この発明の第４の実施形態に係る表示画像の一例を示す模式図である。
【図１１】この発明の第５の実施形態に係る睡眠状態表示装置の機能構成の一例を示すブロック図である。
【図１２】同実施形態における表示画像の一例を示す模式図である。
【図１３】同実施形態における睡眠状態表示装置の動作の一例を示すフローチャートである。
【図１４】この発明の第６の実施形態に係る睡眠状態表示装置の機能構成の一例を示すブロック図である。
【図１５】同実施形態における表示画像の一例を示す模式図である。
【図１６】同実施形態における睡眠状態表示装置の動作の一例を示すフローチャートである。
【図１７】この発明の各実施形態の変形例における表示画像の一例を示す模式図である。
【発明を実施するための形態】
【００３１】
以下、この発明に関わるいくつかの実施形態について図面を参照して説明する。なお、各実施形態に用いられる睡眠状態表示装置は、ハードウェア構成、又はハードウェア資源とソフトウェアとの組合せ構成の何れでも実施可能となっている。組合せ構成のソフトウェアとしては、予めネットワーク又は記憶媒体から各コンピュータにインストールされ、睡眠状態表示装置の機能を当該各コンピュータに実現させるためのプログラムが用いられる。なお、各実施形態の睡眠状態表示装置は、スタンドアロンのユーザ端末として実施してもよく、クライアントサーバシステムにおけるサーバ装置として実施してもよい。また、各実施形態の睡眠状態表示装置は、プライベートクラウド又はパブリッククラウド等のクラウドコンピューティングシステムにおいて、低負荷時に選択される複数台の処理実行装置の各々として実施してもよい。
【００３２】
［第１の実施形態］
図１は、この発明の第１の実施形態に係る睡眠状態表示装置の機能構成を示す模式図である。睡眠状態表示装置１は、記憶部１０、睡眠情報入力部２０、睡眠段階推定部３０、睡眠変数算出部４０、表示画像生成部５０、及び睡眠状態表示部６０を備えている。すなわち、睡眠状態表示装置１は、予めメモリに記憶された複数の要素画像を含む基準画像に基づいて睡眠状態を表示する機能を有する。
【００３３】
記憶部１０は、各部から読取り／書込み可能なメモリであり、複数の要素画像を含む基準画像を予め記憶する。また、記憶部１０は、睡眠情報入力部２０に入力された睡眠情報、睡眠段階推定部３０にて推定された睡眠段階の睡眠段階情報、睡眠変数算出部４０にて算出された睡眠変数、表示画像生成部５０にて生成された表示画像等を適宜記憶してもよい。なお、各部から出力される各情報については、後述する。また、本明細書中、「…画像」は「…画像データ」と読み替えてもよい。
【００３４】
要素画像は、睡眠状態を表示する際に用いられる基準画像を構成し、予め記憶部１０に記憶される。基準画像としては、任意の形状を表す画像が適用可能であるが、ユーザが直感的に睡眠状態を把握し易い観点から、実世界上に存在する物体の画像を含むことが望ましい。
【００３５】
例えば、基準画像は、図２に示す如き、容器の各部（例、開口部、テーパ部、胴部、底部等）を表す複数の形状（例、側面形状又は断面形状）を連結してなる容器形状を含んでもよい。容器形状は、各睡眠段階にそれぞれ対応する、少なくとも高さ及び幅で定義される複数の第１要素画像を高さ方向に連結して構成されていてもよい。また、容器形状は、複数の形状を連結してなる形状であれば、例えば、ボトルやコップのような凹型の形状（例、断面形状）で表現されていてもよく、容器形状を３次元的に俯瞰した形状（例、外観形状）で表現されていてもよい。
【００３６】
図２に示す例では、睡眠段階は、中途覚醒（Wake）、レム睡眠（REM (Rapid Eye Movement） sleep)、浅い睡眠（Light sleep）、及び深い睡眠（Deep sleep）の４段階に分類されている。したがって、基準画像は、４個の第１要素画像から構成される。なお、各睡眠段階は、中途覚醒、レム睡眠、浅い睡眠、及び深い睡眠の順に睡眠が深くなっていることを示す。つまり、高さ方向について下側の第１要素画像ほど、睡眠が深い睡眠段階に対応している。
【００３７】
ここで、中途覚醒とは、覚醒に分類された睡眠段階のうち、就床してから睡眠状態に入るまでを除いた睡眠段階を示す。浅い睡眠とは、ノンレム睡眠のステージＩ〜ＩＩに分類された睡眠状態を示す。深い睡眠とは、ノンレム睡眠のステージＩＩＩ〜ＩＶに分類された睡眠状態を示す。
【００３８】
また、図２における複数の第１要素画像は、少なくとも高さ及び幅で定義される形状を有し、高さ方向について上から順に、（高さ，幅）が、それぞれ（ｈ１，ｗ１）、（ｈ２，ｗ２）、（ｈ３，ｗ３）、（ｈ４，ｗ４）として定義されている。また、図２における基準画像は、各第１要素画像を高さ方向に連結して構成されており、基準画像の高さ（Ｈ）は、各第１要素画像の高さ（ｈ１，ｈ２，ｈ３，ｈ４）の和として定義されている。
【００３９】
なお、第１要素画像としては、矩形である必要はなく、任意の変数によって任意の形状を定義した画像が適宜、使用可能となっている。具体的には、第１要素画像は、図２における上から２番目の第１要素画像のように、台形形状であってもよい。また、第１要素画像は、曲線を含む形状であってもよい。また、各第１要素画像は、睡眠段階の違いが視認しやすいように、第１要素画像毎に色が異なっていてもよい。
【００４０】
睡眠情報入力部２０は、睡眠中に取得される生体情報及び体動情報を含む睡眠情報の入力を受付け、入力を受付けた睡眠情報を睡眠段階推定部３０に送信する。睡眠情報入力部２０は、睡眠情報を記憶部１０に格納してもよい。
【００４１】
ここで、生体情報は、被験者から取得される、就床から起床までの心拍、脳波、筋電、眼電、呼吸等を示す生体信号の時系列データである。体動情報は、被験者から取得される、就床から起床までの加速度等を示す体動信号の時系列データである。「被験者」は、「被検体」と呼んでもよい。
【００４２】
なお、睡眠情報入力部２０は、時系列データとして編集された生体情報及び体動情報を受信してもよい。また、睡眠情報入力部２０は、生体信号及び体動信号を計測するセンサの出力信号を直接受信し、時系列データとして生体情報及び体動情報に変換してもよい。
【００４３】
睡眠段階推定部３０は、睡眠情報を睡眠情報入力部２０から受信し、当該睡眠情報に基づき、複数の睡眠段階を睡眠時間と関連付けて推定する。睡眠段階推定部３０は、推定された各睡眠段階の推移を時系列に対応付けた睡眠段階推定情報を生成し、当該睡眠段階推定情報を記憶部１０に格納してもよい。睡眠段階推定部３０は、生成した睡眠段階推定情報を睡眠変数算出部４０に送信する。
【００４４】
なお、睡眠段階推定部３０は、睡眠情報に基づき、予め定められた判定アルゴリズムにしたがって、睡眠時間における各睡眠段階を自動判定することで、各睡眠段階を推定してもよい。また、睡眠段階推定部３０は、睡眠情報を図示しない画面に表示することで専門の技師による目視による判定を促し、睡眠段階判定入力結果を入力させることで各睡眠段階を推定してもよい。
【００４５】
睡眠変数算出部４０は、睡眠段階推定情報を睡眠段階推定部３０から受信し、推定された各睡眠段階の睡眠時間の長さ（Ｔ１，Ｔ２，Ｔ３，Ｔ４）及び全体の睡眠時間の長さ（ＳＰＴ）を含む複数の睡眠変数を算出する。睡眠変数算出部４０は、算出した各睡眠変数を表示画像生成部５０に送信する。また、睡眠変数算出部４０は、算出した各睡眠変数を記憶部１０に格納してもよい。
【００４６】
ここで、Ｔ１は、中途覚醒時間の長さであり、Ｔ２は、レム睡眠時間の長さであり、Ｔ３は、浅い睡眠時間の長さであり、Ｔ４は、深い睡眠時間の長さである。ＳＰＴは、入眠から起床までの時間の長さである。時間の単位は、任意に選択可能であるが、例えば分単位等で算出されることが望ましい。
【００４７】
なお、睡眠変数算出部４０は、各睡眠段階の睡眠時間の長さ（Ｔ１，Ｔ２，Ｔ３，Ｔ４）及び全体の睡眠時間の長さ（ＳＰＴ）に限らず、種々の変数を算出可能である。具体的には、睡眠変数算出部４０は、各睡眠段階が全体に占める占有率（ｖ１，ｖ２，ｖ３，ｖ４）を算出してもよい。
【００４８】
ここで、ｖ１，ｖ２，ｖ３，ｖ４は、それぞれ中途覚醒時間（Ｔ１）、レム睡眠時間（Ｔ２）、浅い睡眠時間（Ｔ３）、深い睡眠時間（Ｔ４）が全体の睡眠時間の長さ（ＳＰＴ）に占める占有率である。
【００４９】
表示画像生成部５０は、算出された各睡眠変数を睡眠変数算出部４０から受信し、当該算出された各睡眠変数に基づき、基準画像から表示画像を生成する。表示画像生成部５０は、生成した表示画像を睡眠状態表示部６０に送信する。
【００５０】
具体的には、表示画像生成部５０は、図３（Ａ）に示す如き基準画像を記憶部１０から読出す。表示画像生成部５０は、当該基準画像内の各第１要素画像の高さ（ｈ１，ｈ２，ｈ３，ｈ４）を、全体の睡眠時間の長さ（ＳＰＴ）及び当該全体の睡眠時間の長さの基準値（ＳＰＴｓ）の比（α）に応じて変化させ、表示画像内の各第１要素画像の高さ（ｈ１’，ｈ２’，ｈ３’，ｈ４’）を算出する。また、表示画像生成部５０は、当該基準画像内の各第１要素画像の幅（ｗ１，ｗ２，ｗ３，ｗ４）を、各第１要素画像に対応する睡眠段階の睡眠時間の長さ（Ｔ１，Ｔ２，Ｔ３，Ｔ４）及び当該睡眠段階の睡眠時間の長さの基準値（Ｔ１ｓ，Ｔ２ｓ，Ｔ３ｓ，Ｔ４ｓ）の比（β）に応じて変化させ、表示画像内の各第１要素画像の幅（ｗ１”，ｗ２”，ｗ３”，ｗ４”）を算出する。
【００５１】
また、表示画像生成部５０は、基準画像内の各第１要素画像の幅（ｗ１，ｗ２，ｗ３，ｗ４）を、全体の睡眠時間の長さ（ＳＰＴ）及び当該全体の睡眠時間の長さの基準値（ＳＰＴｓ）の比（α）に応じて変化させ、表示画像内の各第１要素画像の幅（ｗ１’，ｗ２’，ｗ３’，ｗ４’）を算出してもよい。
【００５２】
各基準値（ＳＰＴｓ，Ｔ１ｓ，Ｔ２ｓ，Ｔ３ｓ，Ｔ４ｓ）は、予め記憶部１０に格納されていてもよい。また、各基準値（ＳＰＴｓ，Ｔ１ｓ，Ｔ２ｓ，Ｔ３ｓ，Ｔ４ｓ）は、ユーザの各睡眠変数の数日間の平均値や、各年代の平均値等から算出されてもよい。
【００５３】
なお、上記において算出された表示画像内の各第１要素画像の高さ（ｈ１’，ｈ２’，ｈ３’，ｈ４’）、及び幅（ｗ１’，ｗ２’，ｗ３’，ｗ４’）、（ｗ１”，ｗ２”，ｗ３”，ｗ４”）は、以下の式で表される。
【００５４】
【数１】
0006550257.tif 000002
【００５５】
ここで、Ｈ’は、表示画像の高さであり、ｉは、１≦ｉ≦４の整数である。ｖｉｓは、各睡眠段階の睡眠時間の長さが全体の睡眠時間の長さに対して占める占有率の基準値である。
【００５６】
なお、表示画像生成部５０は、睡眠変数として、睡眠段階の睡眠時間の長さ（Ｔ１，Ｔ２，Ｔ３，Ｔ４）に代えて、各睡眠段階が全体に占める占有率（ｖ１，ｖ２，ｖ３，ｖ４）を用いて表示画像を生成してもよい。この場合、表示画像内の各第１要素画像の高さ（ｈ１’，ｈ２’，ｈ３’，ｈ４’）、及び幅（ｗ１’，ｗ２’，ｗ３’，ｗ４’）、（ｗ１”，ｗ２”，ｗ３”，ｗ４”）は、以下の式で表される。
【００５７】
【数２】
0006550257.tif 000003
【００５８】
いずれにしても、表示画像生成部５０は、算出された表示画像内の各第１要素画像の高さ（ｈ１’，ｈ２’，ｈ３’，ｈ４’）、及び幅（ｗ１’，ｗ２’，ｗ３’，ｗ４’）、（ｗ１”，ｗ２”，ｗ３”，ｗ４”）に基づき、最終的に図３（Ａ）に示す如き基準画像から図３（Ｂ）に示す如き表示画像を生成する。
【００５９】
本実施形態において生成された表示画像によれば、基準画像からの高さの変化に注目することにより、全体の睡眠時間の長さの基準値に対する、睡眠情報に基づく全体の睡眠時間の長さをユーザが直感的に把握できる。また、生成された表示画像によれば、表示画像内の各第１要素画像の底部と中部の幅の変化に注目することにより、各睡眠段階の睡眠時間の長さの基準値に対する、睡眠情報に基づく各睡眠段階の睡眠時間の長さをユーザが直感的に把握できる。
【００６０】
睡眠状態表示部６０は、生成された表示画像を表示画像生成部５０から受信し、図示しない画面に当該表示画像を表示する。
【００６１】
次に、以上のように構成された睡眠状態表示装置の動作について図４に示すフローチャートを用いて説明する。なお、以下の説明において、睡眠状態表示装置１の記憶部１０には図３（Ａ）に示す基準画像が予め格納されているものとし、表示画像生成部５０は、図３（Ｂ）に示す表示画像を生成するものとする。
【００６２】
始めに、睡眠情報入力部２０は、生体情報及び体動情報を含む睡眠情報を入力し（ＳＴ１１０）、当該睡眠情報を睡眠段階推定部３０に送信する。
【００６３】
睡眠段階推定部３０は、入力された睡眠情報を受信し、当該睡眠情報に基づき、複数の睡眠段階を睡眠時間と関連付けて推定する（ＳＴ１２０）。睡眠段階推定部３０は、推定した各睡眠段階に基づき、睡眠段階推定情報を生成し、睡眠変数算出部４０に送信する。
【００６４】
睡眠変数算出部４０は、睡眠段階推定情報を受信し、推定された各睡眠段階の睡眠時間の長さ及び全体の睡眠時間の長さを含む複数の睡眠変数を算出する（ＳＴ１３０）。睡眠変数算出部４０は、算出された各睡眠変数を表示画像生成部５０に送信する。
【００６５】
表示画像生成部５０は、算出された各睡眠変数を受信し、当該各睡眠変数に基づき、基準画像から表示画像を生成する（ＳＴ１４０）。
【００６６】
ここで、基準画像は、推定された各睡眠段階にそれぞれ対応する、少なくとも高さ及び幅で定義される複数の第１要素画像を高さ方向に連結して構成された容器形状を含む。
【００６７】
表示画像生成部５０は、当該基準画像を記憶部１０から読出し、当該基準画像から表示画像を生成する。具体的には、表示画像生成部５０は、各第１要素画像の高さを、全体の睡眠時間の長さ、及び当該全体の睡眠時間の長さの基準値の比に応じて変化させる。また、表示画像生成部５０は、各第１要素画像の幅を、各第１要素画像に対応する睡眠段階の睡眠時間の長さ、及び当該睡眠段階の睡眠時間の長さの基準値の比に応じて変化させる。表示画像生成部５０は、変化させた各第１要素画像の高さ及び幅に基づき、最終的に基準画像から表示画像を生成する。
【００６８】
表示画像生成部５０は、生成された表示画像を睡眠状態表示部６０に送信する。
【００６９】
睡眠状態表示部６０は、生成された表示画像を受信し、当該表示画像を睡眠状態として表示する（ＳＴ１５０）。
【００７０】
以上詳述したように、第１の実施形態では、睡眠状態表示装置１は、予め記憶部１０に記憶された複数の要素画像を含む画像に基づき、睡眠状態を表示する。睡眠情報入力部２０は、生体情報及び体動情報を含む睡眠情報を入力する。睡眠段階推定部３０は、上記入力された睡眠情報に基づき、複数の睡眠段階を睡眠時間と関連付けて推定する。睡眠変数算出部４０は、上記推定された各睡眠段階の睡眠時間の長さ及び全体の睡眠時間の長さを含む複数の睡眠変数を算出する。表示画像生成部５０は、上記算出された各睡眠変数に基づき、上記基準画像から表示画像を生成する。睡眠状態表示部６０は、上記生成された表示画像を上記睡眠状態として表示するようにしている。このため、入力される複数の睡眠変数と、その入力値及び平均値等から算出される基準値との比率を、基準画像に反映させることにより、表示画像を生成することができる。したがって、生成された表示画像は、基準画像からの変化として複数の睡眠変数の基準値との相対的な差をユーザに表示することができるため、ユーザは睡眠状態を直感的に把握することができる。また、基準画像は、ユーザが容易に把握可能な日常に存在する物体を表すことができる。したがって、表示画像として表す物体を１つのアイコンに統合することにより、ユーザが睡眠状態を把握する際の負担を軽減することができる。
【００７１】
また、具体的には、上記基準画像は、上記各睡眠段階にそれぞれ対応する、少なくとも高さ及び幅で定義される複数の第１要素画像を高さ方向に連結して構成された容器形状を含む。上記表示画像生成部５０は、上記各第１要素画像の高さを上記全体の睡眠時間の長さ及び当該全体の睡眠時間の長さの基準値の比に応じて変化させ、上記各第１要素画像の幅を各第１要素画像に対応する睡眠段階の睡眠時間の長さ及び当該睡眠段階の睡眠時間の長さの基準値の比に応じて変化させ、最終的に上記基準画像から上記表示画像を生成するようにしている。このため、ユーザに表示画像として表示されるアイコンは、ボトルやコップのような容器形状として表すことができる。したがって、ユーザは、睡眠状態の変化をボトルやコップの形状の変化として直感的に把握することができる。
【００７２】
したがって、ユーザの負担を軽減しつつ、直感的に把握可能な睡眠状態を表示することができる。
【００７３】
［第２の実施形態］
第２の実施形態は、第１の実施形態における容器形状を表す物体に対して、棒状の物体を挿入するように構成される基準画像に基づいて表示画像を生成することで、更に睡眠状態を分かり易く表示し得る構成となっている。具体的には、この睡眠状態表示装置１の機能構成は、図１に示す機能構成と同様である。以下では、図１と同一部分には同一符号を付してその詳しい説明を省略し、異なる部分について主に述べる。
【００７４】
記憶部１０は、複数の第１要素画像を高さ方向に連結して構成される容器形状の他に、少なくとも長さで定義される棒状の第２要素画像を含む基準画像を記憶する。
【００７５】
すなわち、基準画像は、図５（Ａ）に示すように、容器形状部１００ａに加えて、少なくとも長さで定義される棒状部１０１ａを表す第２要素画像を含む。第２要素画像として表される棒状部１０１ａは、ストローや植物の茎のような形状で表現されていてもよい。これに伴い、容器形状部１００ａは、コップやグラスのような形状として表現されてもよく、花瓶や鉢のような形状として表現されてもよい。また、容器形状部１００ａは、容器形状部１００ａと棒状部１０１ａとの関係性がユーザに把握しやすいように、その内部に挿入された棒状部１０１ａが視認できる程度に、水等の液体で満たされているように表されていてもよい。
【００７６】
また、第２要素画像は、第２要素画像の一部が容器形状へ挿入されるように基準画像を構成してもよい。この場合、棒状部１０１ａを表す第２要素画像において定義される長さは、棒状部１０１ａのうち、容器形状部１００ａの内部に挿入された部分の長さ（ｓｌ）として定義されてもよい。
【００７７】
睡眠変数算出部４０は、睡眠段階推定情報を睡眠段階推定部３０から受信し、推定された各睡眠段階の睡眠時間の長さ（Ｔ１，Ｔ２，Ｔ３，Ｔ４）及び全体の睡眠時間の長さ（ＳＰＴ）に加えて、入眠潜時（ＳＬ：Sleep Latency）を更に含む複数の睡眠変数を算出する。なお、入眠潜時は、寝つきの良さを表す指標として任意の時間の長さとして定義可能であるが、一例として、就床から入眠までの覚醒時間の長さとして定義されてもよい。睡眠変数算出部４０は、算出した各睡眠変数を表示画像生成部５０に送信する。また、睡眠変数算出部４０は、算出した各睡眠変数を記憶部１０に格納してもよい。
【００７８】
表示画像生成部５０は、算出された各睡眠変数を睡眠変数算出部４０から受信し、当該算出された各睡眠変数に基づき、基準画像から表示画像を生成する。表示画像生成部５０は、生成した表示画像を睡眠状態表示部６０に送信する。
【００７９】
具体的には、表示画像生成部５０は、図５（Ａ）に示すような、容器形状部１００ａに一部が挿入された棒状部１０１ａを表す基準画像を記憶部１０から読出す。表示画像生成部５０は、容器形状部１００ａを、図５（Ｂ）に示す如き容器形状部１００ｂに変化させる。なお、容器形状部１００ａを容器形状部１００ｂに変化させる機能については、第１の実施形態と同様であるため、ここでは説明を省略する。
【００８０】
表示画像生成部５０は、棒状部１０１ａを、図５（Ｂ）に示す如き棒状部１０１ｂに変化させる。具体的には、表示画像生成部５０は、第２要素画像の長さ（ｓｌ）を入眠潜時（ＳＬ）及び入眠潜時の基準値（ＳＬｓ）の比（γ）に応じて変化させ、表示画像内の第２要素画像の長さ（ｓｌ’）を算出する。
【００８１】
入眠潜時の基準値（ＳＬｓ）は、予め算出され、記憶部１０等に格納されていてもよい。また、入眠潜時の基準値（ＳＬｓ）は、ユーザの各睡眠変数の数日間の平均値や、各年代の平均値等から算出されてもよい。
【００８２】
なお、上記において算出された表示画像内の第２要素画像の長さ（ＳＬ’）は、以下の式で表される。
【００８３】
【数３】
0006550257.tif 000004
【００８４】
表示画像生成部５０は、算出された表示画像内の各第１要素画像の高さ（ｈ１’，ｈ２’，ｈ３’，ｈ４’）、及び幅（ｗ１’，ｗ２’，ｗ３’，ｗ４’）、（ｗ１”，ｗ２”，ｗ３”，ｗ４”）と、第２要素画像の長さ（ｓｌ’）とに基づき、最終的に図５（Ａ）に示す如き基準画像から図５（Ｂ）に示す如き表示画像を生成する。
【００８５】
本実施形態において生成された表示画像によれば、棒状部１０１ｂの長さの変化に注目することにより、入眠潜時の長さの基準値に対する、睡眠情報に基づく入眠潜時の長さをユーザが直感的に把握できる。
【００８６】
次に、以上のように構成された睡眠状態表示装置の動作について図４に示すフローチャートを用いて説明する。なお、以下の説明において、睡眠状態表示装置１の記憶部１０には図５（Ａ）に示す基準画像が予め格納されているものとし、表示画像生成部５０は、図５（Ｂ）に示す表示画像を生成するものとする。
【００８７】
睡眠状態表示装置１は、睡眠情報を入力し（ＳＴ１１０）、当該睡眠情報に基づき、複数の睡眠段階を睡眠時間と関連付けて推定する（ＳＴ１２０）。なお、ステップＳＴ１１０−ＳＴ１２０の動作は、第１の実施形態と同様であるため、説明を省略する。
【００８８】
睡眠変数算出部４０は、睡眠段階推定情報を受信し、推定された各睡眠段階の睡眠時間の長さ及び全体の睡眠時間の長さに加え、入眠潜時を更に含む複数の睡眠変数を算出する（ＳＴ１３０）。睡眠変数算出部４０は、算出された各睡眠変数を表示画像生成部５０に送信する。
【００８９】
表示画像生成部５０は、算出された各睡眠変数を受信し、当該各睡眠変数に基づき、基準画像から表示画像を生成する（ＳＴ１４０）。
【００９０】
ここで、基準画像は、推定された各睡眠段階にそれぞれ対応する、少なくとも高さ及び幅で定義される複数の第１要素画像を高さ方向に連結して構成された容器形状を含む。また、基準画像は、少なくとも長さで定義される棒状の第２要素画像を含む。
【００９１】
表示画像生成部５０は、当該基準画像を記憶部１０から読出し、当該基準画像から表示画像を生成する。具体的には、表示画像生成部５０は、各第１要素画像の高さを、全体の睡眠時間の長さ、及び当該全体の睡眠時間の長さの基準値の比に応じて変化させる。また、表示画像生成部５０は、各第１要素画像の幅を、各第１要素画像に対応する睡眠段階の睡眠時間の長さ、及び当該睡眠段階の睡眠時間の長さの基準値の比に応じて変化させる。
【００９２】
表示画像生成部５０は、第２要素画像の長さを、入眠潜時と、当該入眠潜時の基準値おとの比に応じて変化させる。表示画像生成部５０は、変化させた各第１要素画像の高さ及び幅と、第２要素画像の長さに基づき、最終的に基準画像から表示画像を生成する。
【００９３】
表示画像生成部５０は、生成された表示画像を睡眠状態表示部６０に送信する。
【００９４】
睡眠状態表示部６０は、生成された表示画像を受信し、当該表示画像を睡眠状態として表示する（ＳＴ１５０）。
【００９５】
以上詳述したように、第２の実施形態では、記憶部１０は、少なくとも長さで定義される棒状の第２要素画像を含む基準画像を記憶する。上記第２要素画像の一部は、上記容器形状へ挿入するように構成される。睡眠変数算出部４０は、入眠潜時を更に含む上記睡眠変数を算出する。表示画像生成部５０は、上記第２要素画像の長さを上記入眠潜時及び上記入眠潜時の基準値の比に応じて変化させ、最終的に上記基準画像から上記表示画像を生成するようにしている。このため、ユーザが睡眠状態を把握する際の睡眠変数として、各睡眠段階の睡眠時間等に加えて、入眠潜時を更に用いることができる。また、ユーザに表示画像として表示されるアイコンは、ボトルやコップのような容器形状に挿されたストローや植物の茎といった棒状の物体として表すことができる。したがって、ユーザは、睡眠状態の変化を容器形状及び棒状物体の変化として直感的に把握することができる。
【００９６】
したがって、第２の実施形態によれば、第１の実施形態の効果に加え、更に多くの睡眠情報に基づく睡眠状態を、ユーザにかかる負担を増加させることなく表示することができる。
【００９７】
［第３の実施形態］
第３の実施形態は、第２の実施形態における棒状の物体に対して、更に花状の物体を付加することにより、植物形状として構成される基準画像に基づいて表示画像を生成することで、更に睡眠状態を分かり易く表示し得る構成となっている。具体的には、この睡眠状態表示装置１の機能構成は、図１に示す機能構成と同様である。以下では、図１と同一部分には同一符号を付してその詳しい説明を省略し、異なる部分について主に述べる。
【００９８】
記憶部１０は、複数の第１要素画像を高さ方向に連結して構成される容器形状、及び棒状の第２要素画像に睡眠の質の値にそれぞれ対応する複数の色及び／又は形状を選択可能な第３要素画像が付加されて構成された植物形状を含む基準画像を記憶する。
【００９９】
すなわち、第３要素画像は、図６（Ａ）−（Ｅ）に示す如き、形状の異なるつぼみの状態や咲きかけの状態、又は満開の花等の任意の段階数の状態を表す植物形状を含む。第３要素画像は、形状に限らず、色若しくは色及び／又は形状の異なるつぼみや花等を表してもよい。例えば、図６（Ｅ）に示す花を表す第３要素画像は、暖色又は明色、及び寒色又は暗色といった色の異なる複数の種類が記憶部１０に記憶されていてもよい。なお、第２要素画像は、花形状の第３要素画像に対応して、茎形状として表現されてもよい。
【０１００】
睡眠変数算出部４０は、睡眠段階推定情報を睡眠段階推定部３０から受信し、推定された各睡眠段階の睡眠時間の長さ（Ｔ１，Ｔ２，Ｔ３，Ｔ４）、全体の睡眠時間の長さ（ＳＰＴ）、及び入眠潜時（ＳＬ）に加えて、睡眠の質の値を更に含む複数の睡眠変数を算出する。睡眠変数算出部４０は、算出した各睡眠変数を表示画像生成部５０に送信する。また、睡眠変数算出部４０は、算出した各睡眠変数を記憶部１０に格納してもよい。
【０１０１】
なお、睡眠の質は、睡眠状態の良否を客観的に把握するために用いられる指標であり、種々の指標を適用可能である。睡眠変数算出部４０は、睡眠情報に基づき、リラックス度、深睡眠率、覚醒回数、及び睡眠効率の値のうちの少なくとも１つを更に算出し、当該算出された値のうちの少なくとも１つに基づき、睡眠の質の値を算出してもよい。
【０１０２】
具体的には、睡眠変数算出部４０は、リラックス度を算出し、当該算出されたリラックス度を睡眠の質の値としてもよい。リラックス度を算出する手法は、種々の手法が適用可能である。一例としては、リラックス度は、入眠前数分間の心拍データ等の睡眠情報から特徴量を算出し、当該算出された特徴量を、予め定められた閾値と比較することにより、当該閾値の範囲と対応するリラックス度を示す値と対応付けられてもよい。なお、睡眠情報から算出される特徴量は、例えば図７に示す如き、交感神経活動及び／又は副交感神経活動の活性化状態の程度を心拍データ等の生体情報から算出する指標等が適用可能である。一例として、pNN50（心電図データの隣接ピーク間隔の差が50msecを超えた比率）を特徴量とした場合、図８に示す如き、リラックス度と閾値で区切られるpNN50の値の範囲とが対応付けられた関係にしたがって、pNN50の値からリラックス度を算出する。
【０１０３】
また、睡眠変数算出部４０は、深睡眠率又は覚醒回数に基づき、睡眠状態を総合的に点数化した睡眠点数を算出し、当該算出された睡眠点数の範囲に応じて、睡眠の質の値を算出してもよい。なお、深睡眠率又は覚醒回数に基づく睡眠点数の算出については、以下の文献に詳しく記載されている。
【０１０４】
吉井文均、山本学、伊賀富栄、清水美衣、小原さおり、佐々木敏昭、本田由佳、山谷千秋、“マット型睡眠計の開発と睡眠点数を用いた睡眠状態の評価”、睡眠医療Vol.6, No.2, pp.361-365 (2012)
また、睡眠変数算出部４０は、睡眠効率を算出し、当該算出された睡眠効率の範囲に応じて、睡眠の質の値を算出してもよい。ここで、睡眠効率は、入眠潜時に対する全睡眠時間の割合により算出される値である。
【０１０５】
表示画像生成部５０は、算出された各睡眠変数を睡眠変数算出部４０から受信し、当該算出された各睡眠変数に基づき、基準画像から表示画像を生成する。表示画像生成部５０は、生成した表示画像を睡眠状態表示部６０に送信する。
【０１０６】
具体的には、表示画像生成部５０は、図９（Ａ）に示すような、容器形状部２００ａに、花部２０２ａが付加された茎部２０１ａの一部が挿入された状態を表す基準画像を記憶部１０から読出す。表示画像生成部５０は、容器形状部２００ａ及び茎部２０１ａを、図９（Ｂ）に示す如き容器形状部２００ｂ及び茎部２０１ｂに変化させる。なお、容器形状部２００ａ及び茎部２０１ａを容器形状部２００ｂ及び茎部２０１ｂに変化させる機能については、第２の実施形態と同様であるため、ここでは説明を省略する。
【０１０７】
表示画像生成部５０は、花部２０２ａを、図９（Ｂ）に示す如き花部２０２ｂに変化させる。具体的には、表示画像生成部５０は、記憶部１０に格納された第３要素画像の中から、算出された睡眠の質の値に応じて第３要素画像の色及び／又は形状を選択する。表示画像生成部５０は、第３要素画像の選択に際し、睡眠の質の値が高いほど、第３要素画像の形状について開花した状態の形状を選択するようにしてもよく、第３要素画像の色について明色又は暖色の色を選択するようにしてもよい。また、表示画像生成部５０は、第３要素画像の選択に際し、睡眠の質の値が低いほど、第３要素画像の形状についてつぼみの状態に近い形状を選択するようにしてもよく、第３要素画像の色について暗色又は寒色の色を選択するようにしてもよい。
【０１０８】
表示画像生成部５０は、算出された表示画像内の各第１要素画像の高さ（ｈ１’，ｈ２’，ｈ３’，ｈ４’）、及び幅（ｗ１’，ｗ２’，ｗ３’，ｗ４’）、（ｗ１”，ｗ２”，ｗ３”，ｗ４”）と、第２要素画像の長さ（ｓｌ’）と、選択された第３要素画像とに基づき、最終的に図９（Ａ）に示す如き基準画像から図９（Ｂ）に示す如き表示画像を生成する。
【０１０９】
本実施形態において生成された表示画像によれば、選択された花部２０２ｂの色及び／又は形状の変化に注目することにより、睡眠の質をユーザが直感的に把握できる。
【０１１０】
次に、以上のように構成された睡眠状態表示装置の動作について図４に示すフローチャートを用いて説明する。なお、以下の説明において、睡眠状態表示装置１の記憶部１０には図９（Ａ）に示す基準画像及びその他の複数の第３要素画像が予め格納されているものとし、表示画像生成部５０は、図９（Ｂ）に示す表示画像を生成するものとする。
【０１１１】
睡眠状態表示装置１は、睡眠情報を入力し（ＳＴ１１０）、当該睡眠情報に基づき、複数の睡眠段階を睡眠時間と関連付けて推定する（ＳＴ１２０）。なお、ステップＳＴ１１０−ＳＴ１２０の動作は、第２の実施形態と同様であるため、説明を省略する。
【０１１２】
睡眠変数算出部４０は、睡眠段階推定情報を受信し、推定された各睡眠段階の睡眠時間の長さ、全体の睡眠時間、及び入眠潜時に加え、睡眠の質を更に含む複数の睡眠変数を算出する（ＳＴ１３０）。
【０１１３】
なお、睡眠変数算出部４０は、睡眠情報に基づき、リラックス度、深睡眠率、覚醒回数、及び睡眠効率の値のうちの少なくとも１つを更に算出し、当該算出された値のうちの少なくとも１つに基づき、睡眠の質の値を算出してもよい。
【０１１４】
睡眠変数算出部４０は、算出された各睡眠変数を表示画像生成部５０に送信する。
【０１１５】
表示画像生成部５０は、算出された各睡眠変数を受信し、当該各睡眠変数に基づき、基準画像から表示画像を生成する（ＳＴ１４０）。
【０１１６】
ここで、基準画像は、推定された各睡眠段階にそれぞれ対応する、少なくとも高さ及び幅で定義される複数の第１要素画像を高さ方向に連結して構成された容器形状を含む。また、基準画像は、少なくとも長さで定義される棒状の第２要素画像を含む。また、第２要素画像は、複数の色及び／又は形状を選択可能な第３要素画像を付加されて構成された植物形状を含む。
【０１１７】
表示画像生成部５０は、当該基準画像を記憶部１０から読出し、当該基準画像から表示画像を生成する。具体的には、表示画像生成部５０は、各第１要素画像の高さを、全体の睡眠時間の長さ、及び当該全体の睡眠時間の長さの基準値の比に応じて変化させる。また、表示画像生成部５０は、各第１要素画像の幅を、各第１要素画像に対応する睡眠段階の睡眠時間の長さ、及び当該睡眠段階の睡眠時間の長さの基準値の比に応じて変化させる。
【０１１８】
表示画像生成部５０は、第２要素画像の長さを、入眠潜時と、当該入眠潜時の基準値おとの比に応じて変化させる。
【０１１９】
表示画像生成部５０は、算出された睡眠の質の値に応じて第３要素画像の色及び／又は形状を選択する。表示画像生成部５０は、変化させた各第１要素画像の高さ及び幅と、第２要素画像の長さと、選択した第３要素画像とに基づき、最終的に基準画像から表示画像を生成する。
【０１２０】
表示画像生成部５０は、生成された表示画像を睡眠状態表示部６０に送信する。
【０１２１】
睡眠状態表示部６０は、生成された表示画像を受信し、当該表示画像を睡眠状態として表示する（ＳＴ１５０）。
【０１２２】
以上詳述したように、第３の実施形態では、記憶部１０は、複数の色及び／又は形状を選択可能な第３要素画像を更に記憶する。基準画像は、上記第３要素画像が付加されて構成された植物形状を含む。睡眠変数算出部４０は、睡眠の質の値を更に含む上記睡眠変数を算出する。表示画像生成部５０は、上記算出された睡眠の質の値に応じて上記第３要素画像の色及び／又は形状を選択し、最終的に上記基準画像から上記表示画像を生成するようにしている。このため、ユーザが睡眠状態を把握する際の睡眠変数として、各睡眠段階の睡眠時間、及び入眠潜時に加えて、睡眠の質の値を更に用いることができる。また、ユーザに表示画像として表示されるアイコンは、容器形状に挿された花を有する植物として表すことができる。したがって、ユーザは、睡眠状態の変化を容器形状及び植物形状の変化として、直感的に把握することができる。
【０１２３】
また、睡眠変数算出部４０は、上記睡眠情報に基づき、リラックス度、深睡眠率、覚醒回数、及び睡眠効率の値のうちの少なくとも１つを更に算出し、当該算出された値のうちの少なくとも１つに基づき、上記睡眠の質の値を算出するようにしている。このため、第３要素画像として選択される花の形状及び／又は色を、睡眠の質の値に応じて段階的に選択することができる。
【０１２４】
したがって、第３の実施形態によれば、第２の実施形態の効果に加え、更に多くの睡眠情報に基づく睡眠状態を、ユーザにかかる負担を増加させることなく表示することができる。
【０１２５】
［第４の実施形態］
第４の実施形態は、第１の実施形態の変形例であり、容器形状に代えて、各睡眠段階にそれぞれ対応づけられたキャラクタ形状、及び各睡眠段階の睡眠時間を表す基準画像に基づき、表示画像を生成し得る構成となっている。具体的には、この睡眠状態表示装置１の機能構成は、図１に示す機能構成と同様である。以下では、図１と同一部分には同一符号を付してその詳しい説明を省略し、異なる部分について主に述べる。
【０１２６】
記憶部１０は、図１０（Ａ）−（Ｃ）に示す如き、各睡眠段階にそれぞれ対応づけられたキャラクタ形状３００ａを表す複数の第４要素画像、及び各睡眠段階の睡眠時間情報３００ｂを表す第５要素画像を含む基準画像を記憶する。
【０１２７】
すなわち、図１０（Ａ）−（Ｃ）にそれぞれ例示される第４要素画像は、覚醒状態、レム睡眠、及びノンレム睡眠の睡眠段階にそれぞれ対応づけられたキャラクタ形状３００ａの画像である。また、図１０（Ａ）−（Ｃ）にそれぞれ示す第５要素画像は、覚醒状態、レム睡眠、及びノンレム睡眠の睡眠段階の睡眠時間情報３００ｂを表す画像である。
【０１２８】
なお、第４要素画像は、ユーザに対して各睡眠段階の意味を定性的に分かり易く伝えるためにキャラクタ形状の画像を用いるものとする。第４要素画像に用いられる各睡眠段階に対応付けられた各キャラクタ形状は、１つのキャラクタで統一されたものであってもよい。また、第４要素画像は、覚醒状態時は、当該キャラクタの目が覚めている状態で表現してもよく、レム睡眠時又は浅い睡眠時は、当該キャラクタが夢を見ている状態や、体が少し傾いている状態で表現してもよい。ノンレム睡眠時又は深い睡眠時は、当該キャラクタの体が完全に水平になっている状態や、“ｚｚｚ”等の如き、よく寝ていることを表す記号などを付与して表現してもよい。
【０１２９】
また、第５要素画像は、各第４要素画像にそれぞれ対応づけられた各睡眠段階における睡眠時間を定量的に表す画像を用いるものとする。なお、第５要素画像は、枠内に任意の睡眠時間を表示できるように構成されていてもよい。
【０１３０】
表示画像生成部５０は、算出された各睡眠変数を睡眠変数算出部４０から受信し、当該算出された各睡眠変数に基づき、基準画像から表示画像を生成する。表示画像生成部５０は、生成した表示画像を睡眠状態表示部６０に送信する。
【０１３１】
具体的には、表示画像生成部５０は、図１０（Ａ）−（Ｃ）に示すような、キャラクタ形状３００ａ及び睡眠時間情報３００ｂを表す基準画像を記憶部１０から読出す。表示画像生成部５０は、各睡眠段階に対応する第４要素画像を選択し、当該睡眠段階について算出された睡眠時間を表す第５要素画像を生成する。表示画像生成部５０は、選択された第４要素画像及び生成された第５要素画像に基づき、最終的に基準画像から図１０（Ａ）−（Ｃ）に示す如き表示画像を生成する。
【０１３２】
本実施形態において生成された表示画像によれば、キャラクタの状態によって当該キャラクタに対応付けられた各睡眠段階がユーザに定性的に認識されることにより、各睡眠段階に表示される睡眠時間による定量的な情報を含めて、睡眠状態をユーザが直感的に把握できる。
【０１３３】
次に、以上のように構成された睡眠状態表示装置の動作について図４に示すフローチャートを用いて説明する。なお、以下の説明において、睡眠状態表示装置１の記憶部１０にはキャラクタ形状３００ａ及び睡眠時間情報３００ｂの基準画像が予め格納されているものとし、表示画像生成部５０は、図１０（Ａ）−（Ｃ）に示す表示画像を生成するものとする。
【０１３４】
睡眠状態表示装置１は、睡眠情報を入力し（ＳＴ１１０）、当該睡眠情報に基づき、複数の睡眠段階を睡眠時間と関連付けて推定し（ＳＴ１２０）推定された各睡眠段階の睡眠時間の長さ、及び全体の睡眠時間を含む複数の睡眠変数を算出する（ＳＴ１３０）。なお、ステップＳＴ１１０−ＳＴ１３０の動作は、第１の実施形態と同様であるため、説明を省略する。
【０１３５】
表示画像生成部５０は、算出された各睡眠変数を受信し、当該各睡眠変数に基づき、基準画像から表示画像を生成する（ＳＴ１４０）。
【０１３６】
ここで、基準画像は、各睡眠段階にそれぞれ対応づけられたキャラクタ形状を表す複数の第４要素画像、及び各睡眠段階の睡眠時間を表す第５要素画像を含む。
【０１３７】
表示画像生成部５０は、当該基準画像を記憶部１０から読出し、当該基準画像から表示画像を生成する。具体的には、表示画像生成部５０は、各睡眠段階に対応する第４要素画像を選択し、当該睡眠段階について算出された睡眠時間を表す第５要素画像を生成する。表示画像生成部５０は、選択された第４要素画像と、生成された第５要素画像とに基づき、最終的に基準画像から表示画像を生成する。
【０１３８】
表示画像生成部５０は、生成された表示画像を睡眠状態表示部６０に送信する。
【０１３９】
睡眠状態表示部６０は、生成された表示画像を受信し、当該表示画像を睡眠状態として表示する（ＳＴ１５０）。
【０１４０】
以上詳述したように、第４の実施形態では、記憶部１０は、各睡眠段階にそれぞれ対応付けられたキャラクタ形状を表す複数の第４要素画像、及び各睡眠段階の睡眠時間を表す第５要素画像を含む。表示画像生成部５０は、各睡眠段階に対応する第４要素画像を選択し、当該睡眠段階について算出された睡眠時間を表す第５要素画像を生成し、最終的に基準画像から表示画像を生成するようにしている。このため、ユーザが睡眠状態を把握する際に、睡眠変数に代えて各睡眠段階を表すキャラクタ形状を用いることができる。また、キャラクタ形状と睡眠時間情報とを睡眠段階に関連付けて用いることにより、キャラクタ形状による定性的な睡眠段階と、各睡眠段階に関する定量的な情報とを合わせて、直感的に把握することができる。
【０１４１】
したがって、第４の実施形態によれば、ユーザの負担を軽減しつつ、直感的に把握可能な睡眠状態を表示することができる。
【０１４２】
［第５の実施形態］
第５の実施形態は、第１の実施形態の変形例であり、容器形状に代えて、各睡眠段階にそれぞれ対応づけられたキャラクタ形状、表示画像が示す時刻情報、及び各睡眠段階の時系列グラフを表す基準画像に基づき、表示画像を生成し得る構成となっている。図１１は、第５の実施形態に係る睡眠状態表示装置１の機能構成を示す模式図である。以下では、図１と同一部分には同一符号を付してその詳しい説明を省略し、異なる部分について主に述べる。
【０１４３】
睡眠状態表示装置１は、図１に示した構成に対し、表示時刻情報選択部７０を更に備える。
【０１４４】
表示時刻情報選択部７０は、表示画像生成部５０が表示画像を生成するに際し、当該表示画像が示す時刻情報を選択する。表示時刻情報選択部７０は、選択された時刻情報を表示画像生成部５０に送信する。
【０１４５】
表示時刻情報選択部７０は、予め定められた時刻情報を選択してもよく、図示しない時刻情報入力部からユーザによって入力された時刻情報に基づき、時刻情報を選択してもよい。表示時刻情報選択部７０は、選択された時刻情報を予め定められた順番で連続的に変化させてもよく、当該連続的に変化させた時刻情報を、連続的に表示画像生成部５０に送信してもよい。
【０１４６】
記憶部１０は、各睡眠段階にそれぞれ対応づけられたキャラクタ形状を表す複数の第４要素画像、表示画像が示す時刻情報を表す第６要素画像、及び各睡眠段階の時系列グラフを表す第７要素画像を含む基準画像を記憶する。
【０１４７】
表示画像生成部５０は、算出された各睡眠変数を睡眠変数算出部４０から受信し、選択された時刻情報を表示時刻情報選択部７０から受信する。表示画像生成部５０は、当該算出された各睡眠変数及び選択された時刻情報に基づき、基準画像から表示画像を生成する。表示画像生成部５０は、生成した表示画像を睡眠状態表示部６０に送信する。
【０１４８】
具体的には、表示画像生成部５０は、第４要素画像、第６要素画像、及び第７要素画像を含む基準画像を記憶部１０から読出し、図１２に例示する表示画像を生成する。表示画像生成部５０は、選択された時刻情報に対応する睡眠段階に応じたキャラクタ形状４００ａを表す第４要素画像を選択する。表示画像生成部５０は、選択された時刻情報に対応する時刻情報４００ｂを表す第６要素画像と、各睡眠段階の時系列グラフ４００ｃを表す第７要素画像を生成する。表示画像生成部５０は、選択された第４要素画像と、生成された第６要素画像及び第７要素画像とに基づき、最終的に基準画像から表示画像を生成する。
【０１４９】
すなわち、図１２に例示される第４要素画像は、ノンレム睡眠の睡眠段階に対応づけられたキャラクタ形状４００ａを表す画像である。また、図１２に例示される第６要素画像は、時刻情報として“３：３０”が選択された時刻情報４００ｂを表す画像である。また、図１２に例示される第７要素画像は、就床から起床までの睡眠段階の推移を表した時系列グラフ４００ｃを表す画像である。
【０１５０】
なお、第４要素画像は、第４の実施形態と同様、ユーザに対して各睡眠段階の意味を定性的に分かり易く伝えるためにキャラクタ形状の画像を用いるものとする。また、第６要素画像は、選択された時刻情報を定量的に表す画像を用いるものとする。なお、第６要素画像は、時刻を数値で表してもよく、選択された時刻を時計等の形態で表してもよく、第７要素画像における時間軸を指し示すことで選択された時刻を表すように構成されてもよい。また、第７要素画像は、線グラフに限らず、時系列に睡眠段階の推移を表示可能な任意の形式で構成されてもよい。
【０１５１】
表示画像生成部５０は、表示時刻情報選択部７０から連続的に時刻情報を受信した場合、当該連続的に受信した時刻情報に応じて、連続的に第４要素画像を選択し、第６要素画像を生成してもよい。表示画像生成部５０は、連続的に生成した表示画像を、連続的に睡眠状態表示部６０に送信してもよい。
【０１５２】
睡眠状態表示部６０は、生成された表示画像を表示画像生成部５０から受信し、図示しない画面に当該表示画像を表示する。なお、睡眠状態表示部６０は、表示画像を連続的に表示画像生成部５０から受信した場合、当該受信した表示画像を連続的に表示してもよい。この場合、睡眠状態表示部６０は、表示画像を連続的に変化させることで睡眠段階の時間変化を動画のように再生して、睡眠状態をユーザに表示してもよい。
【０１５３】
本実施形態において生成された表示画像によれば、各睡眠段階に対応付けられたキャラクタの状態がユーザに定性的に認識されることにより、選択された時刻情報における睡眠状態をユーザが直感的に把握できる。また、表示画像を連続的に変化させることで、時刻情報及びキャラクタ形状を連動させて変化させることができる。これにより、睡眠段階の時間的な変化を直感的に把握できる。
【０１５４】
次に、以上のように構成された睡眠状態表示装置の動作について図１３に示すフローチャートを用いて説明する。なお、以下の説明において、睡眠状態表示装置１の記憶部１０にはキャラクタ形状４００ａ、時刻情報４００ｂ及び睡眠段階の時系列グラフ４００ｃの基準画像が予め格納されているものとし、表示画像生成部５０は、図１２に示す表示画像を生成するものとする。
【０１５５】
睡眠状態表示装置１は、睡眠情報を入力し（ＳＴ１１０）、当該睡眠情報に基づき、複数の睡眠段階を睡眠時間と関連付けて推定し（ＳＴ１２０）推定された各睡眠段階の睡眠時間の長さ、及び全体の睡眠時間を含む複数の睡眠変数を算出する（ＳＴ１３０）。なお、ステップＳＴ１１０−ＳＴ１３０の動作は、第１の実施形態と同様であるため、説明を省略する。
【０１５６】
表示時刻情報選択部７０は、表示画像が示す時刻情報を選択し（ＳＴ１３５）、当該選択した時刻情報を表示画像生成部５０に送信する。
【０１５７】
表示画像生成部５０は、算出された各睡眠変数及び選択された時刻情報を受信し、当該各睡眠変数に基づき、基準画像から、選択された時刻情報における表示画像を生成する（ＳＴ１４０）。
【０１５８】
ここで、基準画像は、各睡眠段階にそれぞれ対応づけられたキャラクタ形状を表す複数の第４要素画像、表示画像が示す時刻情報を表す第６要素画像、及び各睡眠段階の時系列グラフを表す第７要素画像を含む。
【０１５９】
表示画像生成部５０は、当該基準画像を記憶部１０から読出し、当該基準画像から表示画像を生成する。具体的には、表示画像生成部５０は、各睡眠段階に対応する第４要素画像を選択し、選択された時刻情報に対応する時刻情報を表す第６要素画像を生成し、睡眠段階の時系列グラフを表す第７要素画像を生成する。表示画像生成部５０は、選択された第４要素画像と、生成された第６要素画像及び第７要素画像とに基づき、最終的に基準画像から表示画像を生成する。
【０１６０】
表示画像生成部５０は、生成された表示画像を睡眠状態表示部６０に送信する。
【０１６１】
睡眠状態表示部６０は、生成された表示画像を受信し、当該表示画像を睡眠状態として表示する（ＳＴ１５０）。
【０１６２】
以上詳述したように、第５の実施形態では、表示時刻情報選択部７０は、表示画像が示す時刻情報を選択する。記憶部１０は、各睡眠段階にそれぞれ対応付けられたキャラクタ形状を表す複数の第４要素画像、時刻情報を表す第６要素画像、及び各睡眠段階の時系列グラフを表す第７要素画像を含む。表示画像生成部５０は、選択された時刻情報に対応する睡眠段階に応じて第４要素画像を選択し、選択された時刻情報に対応する第６要素画像を生成し、第７要素画像を生成し、最終的に基準画像から表示画像を生成するようにしている。このため、ユーザが睡眠状態を把握する際に、睡眠変数に代えて各睡眠段階を表すキャラクタ形状を用いることができる。また、表示画像が表す時刻を選択し、当該選択された時刻情報と、当該時刻情報に対応するキャラクタ形状を表示することにより、睡眠状態を直感的に把握することができる。更に、睡眠段階の時系列グラフを更に同時に表示することにより、全体の睡眠時間における睡眠段階の推移を把握することができる。
【０１６３】
したがって、第５の実施形態によれば、ユーザの負担を軽減しつつ、直感的に把握可能な睡眠状態を表示することができる。
【０１６４】
［第６の実施形態］
第６の実施形態は、第１の実施形態の変形例であり、容器形状に代えて、各体動状態にそれぞれ対応づけられたキャラクタ形状、表示画像が示す時刻情報、及び各体動状態の時系列グラフを表す基準画像に基づき、表示画像を生成し得る構成となっている。図１４は、第６の実施形態に係る睡眠状態表示装置１の機能構成を示す模式図である。以下では、図１と同一部分には同一符号を付してその詳しい説明を省略し、異なる部分について主に述べる。
【０１６５】
睡眠状態表示装置１は、図１に示した構成に対し、表示時刻情報選択部７０と、体動状態推定部８０とを更に備える。
【０１６６】
記憶部１０は、各体動状態にそれぞれ対応づけられたキャラクタ形状を表す複数の第８要素画像、表示画像が示す時刻情報を表す第６要素画像、及び各体動状態の時系列グラフを表す第９要素画像を含む基準画像を記憶する。
【０１６７】
睡眠情報入力部２０は、睡眠中に取得される生体情報及び体動情報を含む睡眠情報の入力を受付け、当該入力を受付けた睡眠情報を睡眠段階推定部３０及び体動状態推定部８０に送信する。睡眠情報入力部２０は、睡眠情報を記憶部１０に格納してもよい。
【０１６８】
なお、体動状態は、仰向け（Face-up）、右向き（Right）、左向き（Left）、及びうつ伏せ（Face-down）の４段階に分類されている。したがって、第８要素画像は、少なくとも４種類の異なる体動状態を示すキャラクタ形状の画像を含む。
【０１６９】
表示時刻情報選択部７０は、第５の実施形態と同様、表示画像生成部５０が表示画像を生成するに際し、当該表示画像が示す時刻情報を選択する。表示時刻情報選択部７０は、選択された時刻情報を表示画像生成部５０に送信する。
【０１７０】
表示時刻情報選択部７０は、予め定められた時刻情報を選択してもよく、図示しない時刻情報入力部からユーザによって入力された時刻情報に基づき、時刻情報を選択してもよい。表示時刻情報選択部７０は、選択された時刻情報を予め定められた順番で連続的に変化させてもよく、当該連続的に変化させた時刻情報を、連続的に表示画像生成部５０に送信してもよい。
【０１７１】
体動状態推定部８０は、睡眠情報を睡眠情報入力部２０から受信し、当該睡眠情報に基づき、複数の体動状態を睡眠時間と関連付けて推定する。体動状態推定部８０は、推定された各体動状態の推移を時系列に対応付けた体動状態推定情報を生成し、当該体動状態推定情報を記憶部１０に格納してもよい。体動状態推定部８０は、生成された体動状態推定情報を表示画像生成部５０に送信する。
【０１７２】
表示画像生成部５０は、算出された睡眠変数を睡眠変数算出部４０から受信する。また、表示画像生成部５０は、生成された体動状態推定情報を体動状態推定部８０から受信し、選択された時刻情報を表示時刻情報選択部７０から受信する。表示画像生成部５０は、当該生成された体動状態推定情報及び選択された時刻情報に基づき、基準画像から表示画像を生成する。表示画像生成部５０は、生成した表示画像を睡眠状態表示部６０に送信する。
【０１７３】
具体的には、表示画像生成部５０は、第８要素画像、第６要素画像、及び第９要素画像を含む基準画像を記憶部１０から読出し、図１５に例示する表示画像を生成する。表示画像生成部５０は、選択された時刻情報に対応する体動状態に応じたキャラクタ形状５００ａを表す第８要素画像を選択する。表示画像生成部５０は、選択された時刻情報に対応する時刻情報５００ｂを表す第６要素画像と、各体動状態の時系列グラフ５００ｃを表す第９要素画像を生成する。表示画像生成部５０は、選択された第８要素画像と、生成された第６要素画像及び第９要素画像とに基づき、最終的に基準画像から表示画像を生成する。
【０１７４】
すなわち、図１５に例示される第８要素画像は、左向きの体動状態に対応づけられたキャラクタ形状５００ａを表す画像である。また、図１５に例示される第６要素画像は、時刻情報として“３：３０”が選択された時刻情報５００ｂを表す画像である。また、図１５に例示される第９要素画像は、就床から起床までの体動状態の推移を表した時系列グラフ５００ｃを表す画像である。
【０１７５】
なお、第８要素画像は、第４の実施形態と同様、ユーザに対して各体動状態の意味を定性的に分かり易く伝えるためにキャラクタ形状を表す画像を用いるものとする。また、第６要素画像は、第５の実施形態と同様、選択された時刻情報を定量的に表す画像を用いるものとする。なお、第６要素画像は、時刻を数値で表してもよく、選択された時刻を時計等の形態で表してもよく、第９要素画像における時間軸を指し示すことで、選択された時刻を表すように構成されてもよい。また、第９要素画像は、線グラフに限らず、時系列に体動状態の推移を表示可能な任意の形式で構成されてもよい。
【０１７６】
表示画像生成部５０は、第５の実施形態と同様、表示時刻情報選択部７０から連続的に時刻情報を受信した場合、当該連続的に受信した時刻情報に応じて、連続的に第８要素画像を選択し、第６要素画像を生成してもよい。表示画像生成部５０は、連続的に生成した表示画像を、連続的に睡眠状態表示部６０に送信してもよい。
【０１７７】
睡眠状態表示部６０は、生成された表示画像を表示画像生成部５０から受信し、図示しない画面に当該表示画像を表示する。なお、睡眠状態表示部６０は、表示画像を連続的に表示画像生成部５０から受信した場合、当該受信した表示画像を連続的に表示してもよい。この場合、睡眠状態表示部６０は、表示画像を連続的に表示することで、体動状態の時間変化を動画のように再生して、体動状態をユーザに表示してもよい。
【０１７８】
本実施形態において生成された表示画像によれば、各体動状態に対応付けられたキャラクタの状態がユーザに定性的に認識されることにより、選択された時刻情報における体動状態をユーザが直感的に把握できる。また、表示画像を連続的に変化させることで、時刻情報及びキャラクタ形状を連動させて変化させることができる。これにより、体動状態の時間的な変化を直感的に把握できる。
【０１７９】
次に、以上のように構成された睡眠状態表示装置の動作について図１６に示すフローチャートを用いて説明する。なお、以下の説明において、睡眠状態表示装置１の記憶部１０にはキャラクタ形状５００ａ、時刻情報５００ｂ及び体動状態の時系列グラフ５００ｃの基準画像が予め格納されているものとし、表示画像生成部５０は、図１５に示す表示画像を生成するものとする。
【０１８０】
睡眠状態表示装置１は、睡眠情報を入力し（ＳＴ１１０）、当該睡眠情報に基づき、複数の睡眠段階を睡眠時間と関連付けて推定する（ＳＴ１２０）。なお、ステップＳＴ１１０−ＳＴ１２０の動作は、第１の実施形態と同様であるため、説明を省略する。
【０１８１】
体動状態推定部８０は、睡眠情報に基づき、複数の体動状態を睡眠時間と関連付けて推定し（ＳＴ１２５）、当該推定された体動情報に基づき、体動情報推定情報を生成する。体動状態推定部８０は、生成した体動状態推定情報を表示画像生成部５０に送信する。
【０１８２】
睡眠変数算出部４０は、生成された睡眠段階推定情報を受信し、各睡眠段階の睡眠時間の長さ、及び全体の睡眠時間を含む複数の睡眠変数を算出する（ＳＴ１３０）。睡眠変数算出部４０は、算出された各睡眠変数を表示画像生成部５０に送信する。
【０１８３】
なお、ステップＳＴ１２０及びＳＴ１３０は、本実施形態では省略しても構わない。
【０１８４】
表示時刻情報選択部７０は、表示画像が示す時刻情報を選択し（ＳＴ１３５）、当該選択した時刻情報を表示画像生成部５０に送信する。
【０１８５】
表示画像生成部５０は、算出された各睡眠変数、生成された体動状態推定情報及び選択された時刻情報を受信し、当該体動状態推定情報に基づき、基準画像から、選択された時刻情報における表示画像を生成する（ＳＴ１４０）。
【０１８６】
ここで、基準画像は、各体動状態にそれぞれ対応づけられたキャラクタ形状を表す複数の第８要素画像、表示画像が示す時刻情報を表す第６要素画像、及び各体動状態の時系列グラフを表す第９要素画像を含む。
【０１８７】
表示画像生成部５０は、当該基準画像を記憶部１０から読出し、当該基準画像から表示画像を生成する。具体的には、表示画像生成部５０は、各体動状態に対応する第８要素画像を選択し、選択された時刻情報に対応する時刻情報を表す第６要素画像を生成し、体動状態の時系列グラフを表す第９要素画像を生成する。表示画像生成部５０は、選択された第８要素画像と、生成された第６要素画像及び第９要素画像とに基づき、最終的に基準画像から表示画像を生成する。
【０１８８】
表示画像生成部５０は、生成された表示画像を睡眠状態表示部６０に送信する。
【０１８９】
睡眠状態表示部６０は、生成された表示画像を受信し、当該表示画像を睡眠状態として表示する（ＳＴ１５０）。
【０１９０】
以上詳述したように、第６の実施形態では、体動状態推定部８０は、入力された睡眠情報に基づき、複数の体動状態を睡眠時間と関連付けて推定する。表示時刻情報選択部７０は、表示画像が示す時刻情報を選択する。記憶部１０は、各体動状態にそれぞれ対応付けられたキャラクタ形状を表す複数の第８要素画像、時刻情報を表す第６要素画像、及び各体動状態の時系列グラフを表す第９要素画像を含む。表示画像生成部５０は、選択された時刻情報に対応する体動状態に応じて第８要素画像を選択し、選択された時刻情報に対応する第６要素画像を生成し、第９要素画像を生成し、最終的に基準画像から表示画像を生成するようにしている。このため、ユーザが体動状態を把握する際に、睡眠変数に代えて各体動状態を表すキャラクタ形状を用いることができる。また、表示画像が表す時刻を選択し、当該選択された時刻情報と、当該時刻情報に対応するキャラクタ形状を表示することにより、睡眠状態を直感的に把握することができる。更に、体動状態の時系列グラフを更に同時に表示することにより、全体の睡眠時間における体動状態の推移を把握することができる。
【０１９１】
したがって、第６の実施形態によれば、第１の実施形態の効果に加え、睡眠時間における体動状態の変化についても、ユーザの負担を増加させることなく、直感的に把握させることができる。
【０１９２】
なお、上記各実施形態は、上記各実施形態そのままに限定されるものではなく、実施段階ではその要旨を逸脱しない範囲で構成要素を変形して具体化できる。例えば、上記各実施形態に係る表示画像は、１日分の睡眠情報を表示するものに限らず、過去の複数日分の睡眠情報を一覧形式で表示してもよい。具体的には、図１７に示すように、第１の実施形態〜第３の実施形態に係る表示画像は、その日ごとの睡眠状態を示す表示画像を、一覧形式で表示してもよい。これにより、日々の睡眠状態を一目で比較することが可能となり、どの日の睡眠状態が良かったか、或いは悪かったか、をユーザが直感的に把握できる。
【０１９３】
また、第６の実施形態及び第７の実施形態に係る表示画像は、同時に表示させてもよい。これにより、選択された時刻情報における睡眠段階及び体動状態を同時に把握できる。
【０１９４】
また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【０１９５】
１…睡眠状態表示装置、１０…記憶部、２０…睡眠情報入力部、３０…睡眠段階推定部、４０…睡眠変数算出部、５０…表示画像生成部、６０…睡眠状態表示部、７０…表示時刻情報選択部、８０…体動状態推定部、１００ａ，１００ｂ，２００ａ，２００ｂ…容器形状部、１０１ａ，１０１ｂ…棒状部、２０１ａ，２０１ｂ…茎部、２０２ａ，２０２ｂ…花部、３００ａ，４００ａ，５００ａ…キャラクタ形状、３００ｂ…睡眠時間情報、４００ｂ，５００ｂ…時刻情報、４００ｃ，５００ｃ…時系列グラフ。
【図１】
0006550257.tif 000005
【図２】
0006550257.tif 000006
【図３】
0006550257.tif 000007
【図４】
0006550257.tif 000008
【図５】
0006550257.tif 000009
【図６】
0006550257.tif 000010
【図７】
0006550257.tif 000011
【図８】
0006550257.tif 000012
【図９】
0006550257.tif 000013
【図１０】
0006550257.tif 000014
【図１１】
0006550257.tif 000015
【図１２】
0006550257.tif 000016
【図１３】
0006550257.tif 000017
【図１４】
0006550257.tif 000018
【図１５】
0006550257.tif 000019
【図１６】
0006550257.tif 000020
【図１７】
0006550257.tif 000021